(57)【要約】      （修正有）【課題】引戸に取り付けても見苦しくなく、操作が極めて簡単で、簡易な構造の引戸用ロック装置にする。【解決手段】ケース２内に保持させたロックボルト５と操作部材３の夫々後端部を平面視直角方向に連結させた。この連結は操作部材３の後部の上下箇所から後方に向けて設けたアーム部の対向面に形成した傾斜溝内に、ロックボルト５後部の両端部に設けられた突起を突入係合させて行われている。操作部材３がばねで前方に付勢されて、その前部がケース２の開口部２ｅ外に大きく移動した位置にあるときには、ロックボルト５がケース２の背板部２ｂに開設されている開口部２ｆから大きく外方向に突出しており、操作部材３が深く押されると、ロックボルト５がケース２内に没入して、操作部材３がこの位置で一時停止し、操作部材３を更に押操作すると元の位置の復帰するように構成した。【選択図】図４
2010121437.tif 000002
【特許請求の範囲】
【請求項１】
引戸の戸先面から背面に至るコーナー部分に開設した開口内に取り付けられるケースを有し、該ケース内には、前記第１開口部からケース外方向に出没自在に保持されたロックボルトと、前記第２開口部からケース外方向に進退自在に保持された操作部材と、該操作部材を前進方向に付勢するばねと、前記操作部材を後退した位置で一時停止させるロック機構とが実装され、該ケースの前記背面に沿う背板部には前記ロックボルトを挿通させる第１開口部が設けられ、該ケースの前記戸先面に沿う側板部には前記操作部材を挿通させる第２開口部が設けられ、おり、
前記操作部材の後部に該操作部材の移動方向に向けた長い傾斜溝が設けられて、該傾斜溝内に前記ロックボルトの後部に設けられた突起が突入係合して、前記ロックボルトの後端部と前記操作部材の後部とが平面視直角方向に連結されており、
前記傾斜溝の傾斜の向きは、前記操作部材の前進方向の移動により前記ロックボルトを前記ケース外方向に大きく突出させ、該操作部材の後退方向の移動により前記ロックボルトを前記ケース内に略没入させる向きであり、
前記ロック機構は、前記操作部材の押操作を繰り返す毎に、前記操作部材を後退した位置で停止させて前進方向の移動を阻止する係止とこの係止の解除を交互に行なう機構であることを特徴とする引戸用ロック装置。
【請求項２】
前記ロック機構は、前記操作部材の表面に形成された変形変形ハート形溝と、該表面に対向するケース内側面又はケース蓋の内側面に回転自在に保持された突起付きコマとを有し、該突起付きコマの外面に設けられている突起が前記変形ハート形溝内に突入しており、前記操作部材が押操作されて所定の後退した位置まで移動すると、該突起が変形ハート形溝の側壁に押されてこの溝内の係止位置で係止して前記操作部材の前進方向の移動を一時停止させ、前記操作部材が次の押操作をされると、前記突起が変形ハート形溝の側壁に押されて前記係止位置から外れた方向に移動して前記係止が解除されるように構成されている、請求項１に記載の引戸用ロック装置。
【発明の詳細な説明】
【発明の詳細な説明】
【技術分野】
【０００１】  本発明は、引戸を閉止位置でロックさせる、簡易な構造の引戸用ロック装置に関し、とくに、引き違い戸のロックに好適な装置である。
【従来技術】
【０００２】  大型の食器棚，収納棚，書籍棚，リビングキャビネット等の家具には、引き違い戸を備えたものが多く見られるが、これらの家具の引き違い戸には、施錠の必要性に乏しいことから施錠器具や施錠装置が備え付けられていないものが多い。また、家具以外に用いられる引き違い戸においても、施錠器具や施錠装置を備えていないものがある。
【０００３】  このため、家具や引き違い戸をトラックに搭載して搬送したり、人手で持ち運ぶときに、家具が傾くなどして、引戸がレール上を勢い良く走行したり、引戸がレールから外れて、引戸のガラスが傷付いたり割れることがある。この対策に、戸と戸の間に発泡スチロール製のクサビ材やクッション材を噛ませたり、粘着テープで仮止めするなどして、戸が開かないように固定させる方法があるが、搬送中にクサビ材が脱落したり、家具や引き違い戸に貼り付いた粘着テープの跡処理の問題があった。
【０００４】  防犯対策等の目的で窓やベランダの引き違い戸をロックさせる簡易な構造の施錠器具や施錠装置も提案されており、例えば、特許文献１に記載の引戸用戸締金物、特許文献２に記載の引戸の施錠装置、特許文献３に記載の吸盤式補助錠などが公知であり、これらの器具は、上述した搬送時の不具合に対処できる。
【０００５】
【特許文献１】特開平７−２５９４０９号公報
【特許文献２】実用新案登録第３０４４２９０号公報
【特許文献３】実用新案登録第３１３４９６号公報
【発明が解決しようとする課題】
【０００６】  しかしながら、特許文献１に記載の引戸用戸締金物は、取手金物を手で９０°回して前方に押し付けるという２つの操作が必要なため使い難く、手前側に突出した取手金物は見栄えが悪く、カーテンを開閉するときに引っ掛けるおそれがある。特許文献２に記載の吸盤式補助錠は、吸着に適した円滑な表面を持つ丈夫なガラス面でないと取り付けることができない。特許文献３に記載の引き違い戸用施錠具は、閂（かんぬき）を着脱させる操作が面倒で使い難く、見栄えも悪い。
【０００７】  本発明は、引戸に取り付けても見苦しくなく、操作が極めて簡単で、簡易な構造の引戸用ロック装置を提供する。
【課題を解決するための手段】
【０００８】  請求項１に係る発明の引戸用ロック装置は、
引戸の戸先面から背面に至るコーナー部分に開設した開口内に取り付けられるケースを有し、該ケース内には、前記第１開口部からケース外方向に出没自在に保持されたロックボルトと、前記第２開口部からケース外方向に進退自在に保持された操作部材と、該操作部材を前進方向に付勢するばねと、前記操作部材を後退した位置で一時停止させるロック機構とが実装され、該ケースの前記背面に沿う背板部には前記ロックボルトを挿通させる第１開口部が設けられ、該ケースの前記戸先面に沿う側板部には前記操作部材を挿通させる第２開口部が設けられ、おり、
前記操作部材の後部に該操作部材の移動方向に向けた長い傾斜溝が設けられて、該傾斜溝内に前記ロックボルトの後部に設けられた突起が突入係合して、前記ロックボルトの後端部と前記操作部材の後部とが平面視直角方向に連結されており、
前記傾斜溝の傾斜の向きは、前記操作部材の前進方向の移動により前記ロックボルトを前記ケース外方向に大きく突出させ、該操作部材の後退方向の移動により前記ロックボルトを前記ケース内に略没入させる向きであり、
前記ロック機構は、前記操作部材の押操作を繰り返す毎に、前記操作部材を後退した位置で停止させて前進方向の移動を阻止する係止とこの係止の解除を交互に行なう機構である。
【０００９】  この引戸用ロック装置は、前記ケース内において、前記ロックボルトの後端部と前記操作部材の後部とが平面視直角方向に連結されている。操作部材はばねで前方に付勢されてその前部がケースの外方向に突出している。
操作部材が押操作されていないときには、ロックボルトはケースの外方向に大きく突出している。操作部材を指先で押すと、ロックボルトはケース内に没入する後退した方向に移動し、操作部材が所定の後退した位置に達すると、ロック機構による係止が行われて、操作部材がこの位置で一時停止する。このとき、ロックボルトはケース内に略没入している。操作部材を指先で更に深く押すと、ロック機構による係止が解除されて、操作部材がばねの付勢力を受けて前進して、ロックボルトをケース内に没入させる。操作部材の押操作を繰り返す毎に上記の動作を繰り返される。
【００１０】  請求項２に係る発明の引戸用ロック装置は、請求項１に記載の引戸用ロック装置において、
前記ロック機構は、前記操作部材の表面に形成された変形変形ハート形溝と、該表面に対向するケース内側面又はケース蓋の内側面に回転自在に保持された突起付きコマとを有し、該突起付きコマの外面に設けられている突起が前記変形ハート形溝内に突入しており、前記操作部材が押操作されて所定の後退した位置まで移動すると、該突起が変形ハート形溝の側壁に押されてこの溝内の係止位置で係止して前記操作部材の前進方向の移動を一時停止させ、前記操作部材が次の押操作をされると、前記突起が変形ハート形溝の側壁に押されて前記係止位置から外れた方向に移動して前記係止が解除されるように構成されている。
【００１１】  このロック機構の係止位置は、ハート形状の頭部側壁の凹んだ部分であり、この凹んだ部分に突起付きコマの突起が移動すると、該突起がこの部分で係止されて、操作部材が次の押操作をされるまで、操作部材がばねの付勢力で前進するのを阻止する突起と変形ハート形溝による係止が行われる。操作部材が更に深く押し操作されると、突起が変形ハート形溝の前記係止位置に対向する位置にある側壁で押されて、突起付きコマを回転させながら、突起が前記係止位置から外れて係止解除される。
【００１２】  ロック機構は、請求項２に記載のロック機構以外にも、操作部材の表面に形成されている変形ハート形溝と、金属小球とを有し、該金属小球は、操作部材の表面に対向するケース壁面又は該ケースの蓋の内側面に形成されている溝と前記変形ハート形溝の双方に突入係合しており、前記操作部材が押操作されて所定の後退した位置まで移動すると、前記金属小球が変形ハート形溝の側壁に押されてこの溝内の係止位置で係止して前記操作部材の前進方向の移動を一時停止させ、前記操作部材が次の押操作をされると、前記金属小球が変形ハート形溝の側壁に押されて前記係止位置から外れた方向に移動して前記係止が解除されるロック機構を採用してもよい。このロック機構は、請求項２に記載のロック機構と同様の作用効果を発揮する。
【発明の効果】
【００１３】  請求項１に係る発明の引戸用ロック装置によれば、前記ロックボルトの後端部と前記操作部材の後部とを平面視直角方向に連結して、前記操作部材の前進方向の移動により前記ロックボルトを前記ケース外方向に大きく突出させ、該操作部材の後退方向の移動により前記ロックボルトを前記ケース内に略没入させることができるようにした結果、引き違い戸を閉じた状態でロックさせるために用いる場合、前記操作部材を戸の手前側から見苦しく見えることがなく、指先による操作がし易い戸先側に設けることができるようになった。そして、ロックボルトをこの引戸の框に重合する向こう側の引戸の框辺りに突出させて、双方の引戸を閉じた位置で係止させることができるようになった。
しかも、本発明の引戸用ロック装置によれば、簡単な構造であり、指先で操作部材を押す操作を繰り返す毎に、ロック（係止）と係止解除が繰り返される、使い易い装置にすることができるようになった。
【００１４】  請求項２に係る発明の引戸用ロック装置は、変形ハート形溝と、ケースの内側面に回転自在に保持された突起付きコマの突起とによる簡単な係合によって、操作部材が深く押され、ロックボルトがケース内に没入した状態を維持させることができるようになった。
【発明を実施するための最良の形態】
【００１５】  本発明を実施するための最良の形態を次の実施例において詳述する。
【実施例】
【００１６】  図１に示すリビングキッチン用の収納棚５０には、軽金属製又は木製の戸枠６１，７１に板ガラスＧ，Ｇを固定させた２枚の引戸６０，７０が取り付けられている。互いに相反する直線方向に開閉させる２枚の引戸６０，７０は、引き違い戸とも呼ばれる。本発明実施形態の引戸用ロック装置（以下、本発明の引戸用ロック装置と略称する。）１は、引き違い戸である２枚の引戸６０，７０を閉じた状態をロック（係止）させるため、図２の部分拡大図に示すように、手前側の引戸６０の戸枠６１における戸先側になる框（かまち）６２の中段高さの箇所に取り付けられる。このロック装置１は、家具や引き違い戸の製造工程において取り付けられるが、完成品の家具や引き違い戸に若干の加工をして後付けすることも可能である。【００１７】  図３（ａ）及び（ｂ）に示すように、本発明の引戸用ロック装置１の取り付けにあたり、戸枠６１がアルミサッシの場合には、框（かまち）６２の戸先面６３から背面６４に至り平面視Ｌ字形状に切欠き加工して、取り付け用の開口６５を開設する。木製の戸や戸枠の場合には、戸や戸枠に同様の凹部を開設する。
本発明の引戸用ロック装置１は、この開口６５内にケース２を嵌め込み、背板部２ｂを框６１の背面６４に沿わせ、側板部２ａを戸先面６３に沿わせた状態でビス止めして装着する。【００１８】  図４（ａ）〜（ｃ）に示すように、本発明の引戸用ロック装置１のケース２には、ロックボルト５が出没自在に保持され、操作部材３が進退自在に保持されている。背板部２ｂには、ロックボルト５を挿通させる第１開口部２ｆと、取付け用のビス孔２ｄ，２ｄ・・が開設されており、側板部２ａには操作部材３を挿通させる第２開口部２ｅが開設されて、ロックボルト５に対して操作部材３が、平面視直角方向に向けられている。本発明の引戸用ロック装置１は、操作部材３が押操作されていない図４（ａ）及び（ｂ）に示す状態においてはロックボルト５がケース２から大きく突出しており、操作部材３が深く押操作された図４（ｃ）に示す状態においてはロックボルト５が開口部２ｆ内に没入している。【００１９】  本発明の引戸用ロック装置は、引戸の種類や構造の違いにより、２通りの方法で引戸を閉じた状態でロックさせることができる。
その１つの方法が図５（ａ）及び（ｂ）に示す方法である。この方法は、図５（ａ）に示すように２枚の引戸６０，７０を閉止させた状態において、ロックボルト５を手前側の引戸６０側から向こう側の引戸７０の戸先面７３の前方に向けて突出させて、双方の引戸６０，７０が開かないようにする方法であり、図５（ｂ）に示すようにはロックが解除された状態を示している。【００２０】  他の１つの方法が図６（ａ）及び（ｂ）に示す方法であり、図６（ａ）に示すように前後２枚の引戸６０，７０の框６２，７２が前後に重合するタイプの引き違い戸に対応させたロック方法である。このロック方法では、２枚の引戸６０，７０が閉じた状態で、ロックボルト５を手前側の引戸６０側から向こう側の引戸７０に設けた凹部９内に突入させるようにする。凹部９は、樹脂製凹状の受具をドリル穴内に埋め込んで設けることが好ましく、１枚引戸をロックさせる場合には、凹部８を壁面等に設ける。【００２１】  図７に示すように、本発明の引戸用ロック装置１は、ケース２と、操作部材３と、ばね４と、ロックボルト５と、ケース蓋６と、突起付きコマ７とを構成部品とする。ばね４は、コイルばねを用いることが好ましい。【００２２】  図７を参照しつつ、図８（ａ）〜（ｃ）に示すように、ケース２は、横向きＵ字形状の立設部２ｃと、背板部２ｂの一部面と、側板部２ａの一部面とによって囲まれた横長のＤ字形状を有する。背板部２ｂの対向側は大きく開口されており、この開口には図７に示すケース蓋６が取り付けられる。
図８（ｂ）及び（ｃ）に示すように、ケース２内において、Ｄ字形状の第１開口部２ｆの後縁に沿った箇所には、背板部２ｂから起立した曲面リブ２ｈが位置し、第１開口部２ｆの前端縁に沿った前方箇所には、背板部２ｂから起立したばね受け座２ｊが位置している。【００２３】  図９（ａ）は操作部材を表面側から見た斜視図、（ｂ）は背面側から見た斜視図、（ｃ）は正面図、（ｄ）は（ｃ）におけるＡ−Ａ断面図、（ｅ）は（ｃ）におけるＢ−Ｂ断面図である。
図９（ａ）〜（ｅ）に示すように、操作部材３は、略方形ブロック形状を有する本体部３ａと、本体部３ａの後面上端部と後面下端部から後方に向けたアーム部３ｂ，３ｂとによる一体形成品である。アーム部３ｂ，３ｂに代えて、枠部材としてもよい。アーム部３ｂ，３ｂの対向面には、２本の傾斜溝３ｇ，３ｇが前後方向に形成されており、傾斜溝３ｇ，３ｇの上端は開放されている。本体部３ａの表面の略中央には、略ハート形状のカム溝３ｄと、前後方向に向けた２本の平行な溝３ｃ、３ｃが形成されており、本体部３ａの背面には、コイルばねの一端側を突入させて受けるための凹部３ｅが形成されている。【００２４】  図１０に示すように、ロックボルト５は、Ｄ形状の断面形状をもつ有底筒形状の本体部５ａの後端部の両側に、ピン状の突起５ｃ，５ｃが中心線を揃えて相反対方向に突出した形状を有する。本体部５ａは、図８（ａ）〜（ｃ）に示すＤ形状の第１開口部２ｇ内にガタつくことなく円滑に突入する大きさであり、突起５ｃ，５ｃは、図９（ａ）〜（ｃ）に示す傾斜溝３ｇ，３ｇ内に突入支持される大きさ間隔がある。【００２５】  図１１（ａ）は突起付きコマを保持させたケース蓋を裏面側から見た斜視図、（ｂ）は突起付きコマを取り外した状態のケース蓋を裏面側から見た斜視図、（ｃ）は突起付きコマを裏面側から見た斜視図、（ｄ）は突起付きコマを保持させたケース蓋の側面断面図である。
図１１（ｂ）に示すように、ケース蓋６の裏面の略中央箇所には、円形凹段部よりなるコマ保持部６ａが設けられ、コマ保持部６ａの中央面には軸孔６ｂが開設されている。そして、ケース蓋６の裏面前部箇所には、平行な短い凸条６ｃ，６ｃが設けられている。図１１（ａ）及び（ｄ）に示すように、コマ保持部６ａ内には、突起付きコマ７が突起７ｂを外側に向けて保持されている。
図１１（ａ）〜（ｄ）に示すように、突起付きコマ７は円板状のコマ本体７ａの一方の片側中央面に短軸７ｂが突出し、他方の片側外周近傍面に突起７ｃが突出した形状を有する。突起付きコマ７は、図１１（ａ）及び（ｂ）（ｄ）に示すように、短軸７ｂをケース蓋６中央の孔６ｂ内に突入させた状態で、コマ保持部６ａ内に回転自在に保持されている。【００２６】  本発明の引戸ロック装置に組付構造と動作が、図１２（ａ）及び（ｂ）と、図１３（ａ）及び（ｂ）に示されている。
図１２（ａ）及び（ｂ）に示すように、操作部材３は、アーム部３ｂ，３ｂを後方に向け、カム溝３ｄが形成されている表面をケース蓋６に対向させた姿勢で、ケース２前面の開口部２ｆからケース２の外方向の先端部を突出させた状態で、進退自在に保持されている。ロックボルト５は、突起５ｃ，５ｃを後方に向けて、ケース２の背板部２ｂに開設されている開口部２ｆから出没自在に保持されている。ロックボルト５は、一方側の突起５ｃが一方の傾斜溝３ｇ内に突入され、他方側の突起５ｃが他方の片側の傾斜溝３ｇ内に突入して、操作部材３と平面視直角方向に連結されている。このため、操作部材３がコイルばね４の付勢力を受けてケース２内から突出する方向に移動すると双方のピン５ｃ，５ｃが傾斜溝３ｇ，３ｇの壁面で押されて、ロックボルト５がケース２内から突出する方向に移動する。指先の押操作によって操作部材３が後退方向に移動すると、ロックボルト５がケース２内に没入する方向に移動する。【００２７】  操作部材３は、コイルばね４によって常に前方に付勢されているが、操作部材３の後端部とロックボルト５の後端部とが、傾斜溝３ｇ，３ｇとピン５ｃ，５ｃによる係合によって連結されているため、操作部材３の進退方向の移動範囲はロックボルト５によって規制されている。また、操作部材３の表面に形成されている溝３ｃ，３ｃ内にケース蓋６の凸条６ｃ，６ｃが突入して、操作部材３の移動方向と移動幅が規制されている。【００２８】  更に、操作部材３の表面に形成されているカム溝３ｄ内に、ケース蓋６の裏面に保持されている突起付きコマ７の突起７ｂが突入して、操作部材３の移動を規制している。ハート形のカム溝３ｄと突起付きコマ７との組合せによるロック機構は、操作部材３の進退移動に伴って、突起７ｃが略ハート形のカム溝３ｄの側壁に押されて、突起付きコマ７を軸回転させながらカム溝３ｄ内を移動する動作を行う。図１２（ａ）（ｂ）に示す操作部材３が最も前進（突出）した状態にあるときには、突起７ｂは、カム溝３ｄ内後部の非係止位置にある。【００２９】  図１２（ａ）及び（ｂ）に示す操作部材３がケース２突出した状態から、図１３（ａ）及び（ｂ）に示す操作部材３が指先で押されて後退方向に移動すると、突起７ｃはカム溝３ｄの壁面で押されながら、カム溝３ｄ内を移動し、このとき、突起７ｃがカム溝３ｄの側壁の凹んだ位置である係止位置Ｐで受け止められて係止する。このため、操作部材３はコイルばね７で付勢されているにもかかわらず、この後退した位置で停止する。ロックボルト５も、ケース２内に没入した位置で停止する。ロックボルト５は、ケース２内に後退しても、Ｄ字形状の開口２ｇの前後に位置するばね受け座２ｊと曲面リブ２ｈとによって常に安定した状態で保持されている。【００３０】  操作部材３を図１３（ａ）（ｂ）に示す状態から、更に指先で押し操作すると、突起７ｂは、カム溝３ｄの偏心した曲面を持つ側壁Ｒに沿う方向に押されて、係止位置Ｐから外れた横方向に移動する。この結果、操作部材３の前方移動を規制させていた、突起７ｂとカム溝３ｄの壁面とによる係止が解除された状態になり、操作部材３はコイルばね７の付勢力によって図１２（ａ）及び（ｂ）に示す位置まで自然復���する。【００３１】  本発明の引戸用ロック装置は、操作部材を指先で押す操作を繰り返すごとに、ケース２内から、ロックボルト５が突出したり、ケース２内に没入する動作を繰り返す。
【図面の簡単な説明】
【００３２】
【図１】引き違い戸を備えたリビングキッチン用収納棚の斜視図。
【図２】その一部を断面視して示した拡大図。
【図３】（ａ）は本発明の引戸用ロック装置の取り付け方法を引戸の手前側から示した斜視図、（ｂ）は引戸の向こう側から示した斜視図。
【図４】（ａ）はロックボルトが突出位置にある本発明の引戸用ロック装置の表面側から見た斜視図、（ｂ）は背面側から見た斜視図、（ｃ）はロックボルトを後退させた状態で示した斜視図。
【図５】（ａ）は本発明の引戸用ロック装置による引き違い戸のロックの１例を示した部分拡大平面断面図、（ｂ）はロック解除状態を示した図。
【図６】（ａ）は本発明の引戸用ロック装置による引き違い戸のロックの他例を示した部分拡大平面断面図、（ｂ）はロック解除状態を示した図。
【図７】（ａ）は本発明の引戸用ロック装置の分解斜視図。
【図８】（ａ）はケースを表面側から見た斜視図、（ｂ）は背面図、（ｃ）は（ｂ）におけるＡ−Ａ断面図。
【図９】（ａ）は操作部材を表面側から見た斜視図、（ｂ）は背面側から見た斜視図、（ｃ）は正面図、（ｄ）は（ｃ）におけるＡ−Ａ断面図、（ｅ）は（ｃ）におけるＢ−Ｂ断面図。
【図１０】（ａ）はロックボルトの斜視図。
【図１１】（ａ）は突起付きコマを保持させたケース蓋を裏面側から見た斜視図、（ｂ）は突起付きコマを取り外した状態のケース蓋を裏面側から見た斜視図、（ｃ）は突起付きコマを裏面側から見た斜視図、（ｄ）は突起付きコマを保持させたケース蓋の側面断面図。
【図１２】（ａ）は本発明の引戸ロック装置を作動部材が押されてロックボルトが突出した状態を背面側から見た部分断面図、（ｂ）は平面側から見た部分断面図。
【図１３】（ａ）は本発明の引戸ロック装置を作動部材が押し戻されてロックボルトが後退した状態を背面側から見た部分断面図、（ｂ）は平面側から見た部分断面図。
【符号の説明】
【００３３】      １    本発明の引戸用ロック装置
２    ケース
２ａ  側板部
２ｂ  背板
２ｅ  開口部
２ｆ  開口部
３    操作部材
３ｂ  アーム部
３ｇ  傾斜溝
４    ばね（コイルばね）
５    ロックボルト
６    ケース蓋
７    突起付きコマ
７ｃ  突起
【図１】
2010121437.tif 000003
【図２】
2010121437.tif 000004
【図３】
2010121437.tif 000005
【図４】
2010121437.tif 000006
【図５】
2010121437.tif 000007
【図６】
2010121437.tif 000008
【図７】
2010121437.tif 000009
【図８】
2010121437.tif 000010
【図９】
2010121437.tif 000011
【図１０】
2010121437.tif 000012
【図１１】
2010121437.tif 000013
【図１２】
2010121437.tif 000014
【図１３】
2010121437.tif 000015